(57)【要約】      （修正有）【課題】間伐材の活用問題の解決とコンクリート表面の緑化を図る壁面緑化枠を提供する。【解決手段】間伐材を井桁状に組み、Ａ１を形成し下に間伐材によって作られたプランターＢを配して、コンクリート壁面の基部に配置して、プランターＢ内蔦を植え、蔦の植生を井桁枠Ａ１によって登はん繁茂をたすけて壁面の緑化を図ると共にコンクリート壁面の点検・修理も井桁枠の間から可能とする。【選択図】図１
0003143584.tif 000002
【実用新案登録請求の範囲】
【請求項１】
間伐材を柱状に加工し、更に防腐処理を施した枠材（１）を井桁状に組合せて緑化枠Ａとし、同様に加工処理した枠材（１）を箱状に形成したプランターＢとし、該プランターＢをコンクリート壁面Ｃ基部に配置し、前記緑化枠ＡをプランターＢに立設したことを特徴とした、間伐材利用のコンクリート壁面に使用する緑化枠。
【考案の詳細な説明】
【技術分野】
【０００１】
本考案は、コンクリート壁面に防腐加工した杉間伐材を利用して、蔦による植生緑化を図る間伐材利用のコンクリート壁面緑化枠に関する。
【背景技術】
【０００２】
近年、うるおいのある緑豊かな生活環境が求められていると共に、地球温暖化防止に社会全体が取り組んでいるところである。又、土砂災害防止・水源地保全等のため森林保全と国内養林業の再興を図るため、国は森林間伐材の活用リサイクル施策を展開している。
このため、公共施設等のコンクリート構造物の無機質なコンクリート壁面に緑化環境を推奨させるため、本考案は杉間伐材を利用した緑豊かな環境と併せて地球温暖化防止に役立たせるものである。
【特許文献１】特開２００３−３１９７１９号公報
【考案の開示】
【考案が解決しようとする課題】
【０００３】
コンクリート構造物の環境緑化において、コンクリート構造物壁面が垂直に近く、かつ壁面が平滑であり、コンクリート表面温度が上昇する条件では常緑種の蔦類は登はん繁茂が困難な状態となる。そこで、コンクリート壁面に杉間伐材を加工した井桁枠材を設置し、蔦の登はん垂れ下がりを防止し、直接コンクリート壁面に活着が不十分でも本考案の緑化枠を用いることで登はん生育を容易にすることを目的とする。
【０００４】
コンクリート壁面緑化の補助工法は従来から考案されているものがあるが、これらのほとんどはコンクリート壁面に直接植生を全面密着させるため、コンクリート構造物の劣化、地震等のひび割れ被害等の点検が困難な状態になる。本考案はコンクリート壁面を植生蔦類がコンクリート壁面に組立設置した井桁枠材の隙間より登はんして、コンクリートと壁面に直接蔦が張り付きが少ないので、構造物の点検が井桁枠の間より容易に確認することができる。
【０００５】
植生緑化する蔦の植え込みには、防腐加工した杉間伐材を利用したプランターを利用し、植生の土壌管理の容易性の確保と併せて無機質なコンクリート構造物周辺の景観環境の改善を図るものとする。
【課題を解決するための手段】
【０００６】
考案者らは、この点に鑑み鋭意研究を重ねた結果本考案に到達したものであって、本考案は図示するように杉間伐材を柱状に加工し、更に、この間伐材に防腐処理を施して枠材（１）とし、この枠材（１）を図１に示すように井桁状に組立てるか、或は図２に示すように伸縮可能なフレキシブルに組立てるかして緑化枠Ａ１或はＡ２として形成する。
【０００７】
一方杉間伐材を同様に加工及び防腐処理をした枠材（１）を箱形に形成してプランターＢとし、この中に土を入れ蔦の苗を植えつけて育生し、このコンクリート壁面Ｃの基部に配置し、このプランターＢに前記緑化枠Ａを壁面に添接して立設することによってコンクリート壁面Ｃの緑化を完成させる。
【考案の効果】
【０００８】
本考案は、コンクリート壁面緑化の最大の課題である無機質の壁面への蔦の繁茂によって生じる美化とコンクリート構造物の点検、補修について、蔦が平滑なコンクリート壁面に直接密着しないで枠材内を登はん生育を可能にすることにより、コンクリート壁面の点検が枠材の隙間及び井桁枠材の部分的な解体により簡単に確認できる。
【０００９】
また本考案の井桁枠を使用することによって蔦の育成に影響のあるコンクリート壁の表面温度上昇が緩和され、蔦の登はん繁茂に効果があり、緑豊かな環境と併せて、地球温暖化防止に役立たせるという作用効果はきわめて顕著である。
【考案を実施するための最良の形態】
【００１０】
添付図面により本考案を実施するための最良の形態を説明すると、図１及び図２は本考案のコンクリート壁面緑化枠Ａの正面図であって、図１は井桁状に枠材（１）を組合せた固定形の緑化枠Ａ１であり、図２は井桁枠がフレキシブルに伸縮する緑化枠Ａ２の正面図を示すもので、図１及び図２には本考案の緑化枠Ａを理解できるように後述するプランターＢも示している。
【００１１】
図３はプランターＢの正面図（イ）及び側面図（ロ）を示し、図４はプランターＢの平面図であって、両図共にすでに蔦の苗木が植付けてある。
【実施例】
【００１２】
本考案で使用する枠材（１）はすべて杉の間伐材を使用する。この間伐材を丸木材として使用するか、半月状として使用するかあるいは板状とするかは任意であり、一定寸法に切断して防腐処理をした枠材（１）を使用している。
【００１３】
図１は長尺の枠材（１）と短尺の枠材（１）を井桁状に組み合わせてボルト（８）によって固定した井桁状の枠材Ａ１で後述するプランターＢ上に立設している。
【００１４】
図２は同一寸法の枠材（１）を上下の横枠（１）を挟んで互にＸ状に交差させる。枠材（１）の交点はスタッドボルト（９）で遊着固定したフレキシブル型の枠材Ａ２で、コンクリート壁面の高さによって伸縮ができるように構成する。この枠体Ａ２も図１と同様に図３以下に後述するプランターＢ上にコンクリート壁面に接して立設する。
【００１５】
図３、図４はプランターＢの実施例で、使用する枠材（１）は間伐材を半月状に分割した枠材（１）を使用している。図３のイ図は箱状に組合せたプランターＢの正面図で、ロ図はこの側面図を示している。また図４はプランターＢの平面図であって、プランターＢ内には土を入れ、図示ではすでに蔦の苗木Ｐが植付けられている。
【００１６】
図５はコンクリート壁面Ｃに施工した実施例図であって、図は最上川中流部のコンクリート特殊堤防の施工断面図で、図中のＣは扶壁式コンクリート擁壁であり、コンクリート壁面の高さは５ｍであり、垂直に施工されている。このコンクリート擁壁Ｃの壁面側の基部にプランターＢを配置し、この上に本考案の緑化枠Ａを壁面に添えるように立設する。このコンクリート擁壁Ｃの裏側は盛土でありその上面はアスファルト（ＡＳ）の遊歩道となり、またコンクリート壁面Ｃの前面側もアスファルト（ＡＳ）の遊歩道が設けられている。そして、このコンクリート擁壁Ｃの壁面基部にプランターＢを配置する。従って図示の矢印の先には最上川が流れている。
【産業上の利用可能性】
【００１７】
上述のように本考案は、実施例に最上川のコンクリート特殊堤防の壁面緑化の例をあげたが、本考案の井桁枠の利用は、これに限ることなく、造成地や道路のコンクリート壁面の緑化にも利用でき、杉間伐材の有効活用を図るもので、コンクリート壁面に対して広く利用が可能であって、無機質のコンクリート表面を美化すると共に壁面の補修や点検においても、井桁枠の間隙から行える容易さがあり、この利用価値はきわめて大きい。
【図面の簡単な説明】
【００１８】
【図１】本考案の井桁状緑化枠Ａ１の正面図
【図２】プレキシブル状緑化枠Ａ２の正面図
【図３】プランターの正面図及び側面図
【図４】プランターの平面図
【図５】本考案の実施例図
【符号の説明】
【００１９】
１  枠材
８  固定ボルト
９  スタッドボルト
Ａ  緑化枠
Ａ１  固定形井桁状緑化枠
Ａ２  フレキシブル形の緑化枠
Ｂ  プランター
Ｃ  コンクリート壁面
Ｐ  蔦の苗木
【図１】
0003143584.tif 000003
【図２】
0003143584.tif 000004
【図３】
0003143584.tif 000005
【図４】
0003143584.tif 000006
【図５】
0003143584.tif 000007